【事件の表示】
　特願２０１８−１３１９１２「薬剤収集支援端末、薬剤収集支援装置、薬剤収集支援システム、薬剤収集支援方法及びプログラム」拒絶査定不服審判事件〔平成３０年１０月１１日出願公開、特開２０１８−１６０２７７、請求項の数（１０）〕について、次のとおり審決する。
【結　論】
　原査定を取り消す。
　本願の発明は、特許すべきものとする。
【理　由】
第１　手続の経緯
　本願は、平成２６年３月１２日に出願した特願２０１４−４８８４３号の一部を平成３０年７月１１日に新たな特許出願としたものであって、平成３０年８月９日に上申書が提出されるとともに手続補正がなされ、令和元年６月２１日付けで拒絶理由が通知され、令和元年８月２３日に意見書が提出されるとともに手続補正がなされ、令和元年１２月１３日付けで拒絶理由が通知され、令和２年２月１４日に意見書が提出されるとともに手続補正がなされたが、令和２年４月１７日付けで拒絶査定がなされ、これに対し、令和２年７月２８日に拒絶査定不服審判の請求がなされると同時に手続補正（以下、「本件補正」という。）がなされたものである。
第２　原査定の概要
　原査定（令和２年４月１７日付け拒絶査定）の概要は次のとおりである。
理由３．この出願の請求項１、４、７、９に係る発明は、その出願の日前の特許出願であって、その出願後に特許掲載公報の発行又は出願公開がされた下記の特許出願の願書に最初に添付された明細書、特許請求の範囲又は図面（以下、「先願明細書等」という。）に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができない。
引用文献等一覧
１．特願２０１４−３５９３２号（特開２０１５−１６０６９６号）
　なお、請求項２−３、５−６、８、１０に係る発明については、拒絶理由を発見しない請求項とされている。
第３　本願発明
　本願の請求項１−１０に係る発明（以下、それぞれ「本願発明１」−「本願発明１０」という。）は、令和２年２月１４日の手続補正で補正された特許請求の範囲の請求項１−１０に記載された事項により特定される発明であり、そのうち、本願発明１は、以下のとおりの発明である。
「【請求項１】
　薬剤の収集を支援する薬剤収集支援端末であって、
　収集対象となる薬剤が記載された処方箋の入力を受け付けて当該処方箋に記載された１又は複数の薬剤に関する在庫場所情報を含む薬剤情報を生成する薬剤収集支援装置から送信された前記薬剤情報を受信する薬剤情報受信部と、
　装用者が視認する複数薬剤の在庫場所を含む景色を背景に、薬剤毎の前記薬剤情報を重畳して表示することが可能な表示部と、
　前記薬剤の前記薬剤情報が新たに受信されているか否かを確認し、新たに受信されている場合に、当該薬剤情報の受信を契機として、受信された前記薬剤情報を、前記装用者が視認する複数薬剤の在庫場所を含む景色を背景に重畳して前記表示部に表示させる制御部と、
　を備えることを特徴とする薬剤収集支援端末。」
　本願発明２−４は、本願発明１を減縮した発明である。
　本願発明５は、薬剤情報収集支援端末に薬剤情報を送信する薬剤情報収集支援装置に係る発明である。
　本願発明６は、本願発明１の薬剤情報収集支援端末の一部の構成と本願発明５の薬剤情報収集支援装置の一部の構成とを組み合わせた薬剤収集支援システムに係る発明である。
　本願発明７は、本願発明１の表示部を備える薬剤収集支援端末の薬剤情報受信部、制御部が行う処理をステップとした薬剤収集支援方法に係る発明である。
　本願発明８は、本願発明５の薬剤情報収集支援装置の薬剤情報生成部、薬剤情報送信部が行う処理をステップとした薬剤収集支援方法に係る発明である。
　本願発明９は、本願発明１の表示部を備える薬剤収集支援端末の薬剤情報受信部、制御部が行う機能をコンピュータに実現させるためのプログラムに係る発明である。なお、請求項９に記載された「実現指せることを特徴とするプログラム」は「実現させることを特徴とするプログラム」の誤記であることは明らかとして本願発明９を認定した。
　本願発明１０は、本願発明５の薬剤情報収集支援装置の薬剤情報生成部、薬剤情報送信部が行う機能をコンピュータに実現させるためのプログラムに係る発明である。
第４　先願明細書等、先願発明
１．先願明細書等（特願２０１４−３５９３２号（特開２０１５−１６０６９６号））
　原査定の拒絶の理由で提示された先願明細書等には、図面とともに次の事項が記載されている。（下線は、注目箇所に当審が付与した。）
ア．「【０００８】
図１は、本実施形態に係る薬剤処方管理システムの構成を示す図である。薬剤処方管理システム１０は、電子カルテサーバ１１と、情報処理端末装置１２と、
薬剤部サーバ１３と、ハンディターミナル１４と、収納装置１５と、無線アクセスポイント１６とを備える
【０００９】
薬剤処方管理システム１０において、電子カルテサーバ１１と、情報処理端末装置１２と、
薬剤部サーバ１３と、無線アクセスポイント１６とは、通信ネットワークＮに接続される。
ハンディターミナル１４は、無線アクセスポイント１６を介して、無線により通信ネットワークＮに接続される。
【００１０】
電子カルテサーバ１１は、電子カルテを記憶・管理するサーバ装置である。情報処理端末装置１２は、電子カルテの記入等を行うための医師用の端末装置である。なお、電子カルテには医師から処方された薬剤（目的薬剤）を指示する情報（処方箋情報）が含まれるものとする。また、処方箋情報には、目的薬剤の薬剤コードが含まれるものとする。
【００１１】
薬剤部サーバ１３は、薬剤部に配置され薬剤払出等を管理するサーバ装置である。また、薬剤部サーバ１３は、ハンディターミナル１４と連携することで、薬剤のピッキング（取り揃え）作業を支援する。
【００１２】
ハンディターミナル１４は、薬剤師等の薬剤ピッキング作業を行うピッキング作業者により携帯される端末装置である。本実施形態において、ハンディターミナル１４は、薬剤部サーバ１３と協働することで、薬剤のピッキング作業を支援する薬剤ピッキング支援装置として機能する。
【００１３】
ハンディターミナル１４は、ヘッドマウントディスプレイ１４１と、
を備える。
【００１４】
ヘッドマウントディスプレイ１４１は、図２に示すように、眼鏡のフレーム状に形成されたフレーム本体１４１１と、このフレーム本体１４１１の左右両側に設けられた装着用アーム１４１２とを備える。
ヘッドマウントディスプレイ１４１は、装着用アーム１４１２によってピッキング作業者ＯＰの頭部に装着することが可能である。
【００１５】
フレーム本体１４１１は、ピッキング作業者ＯＰの両眼に合わせた大きさの枠状に形成されている。フレーム本体１４１１の枠外の上部中央には、撮像方向可変機構１４１３を介してデジタルカメラ１４２が設けられている。フレーム本体１４１１の枠内には、例えばフレーム枠の形状に合わせて形成された板状の光透過性部材１４１４が保持されている。
この光透過性部材１４１４は、ヘッドマウントディスプレイ１４１をピッキング作業者ＯＰの頭部に装着した際に、ピッキング作業者ＯＰの眼によって周辺環境を観察可能である。
【００１６】
光透過性部材１４１４内の一部分には、モニタ表示部１４１５が形成されている。このモニタ表示部１４１５は、後述する表示制御部３１６の制御に従い各種情報等を表示する。
ピッキング作業者ＯＰは、モニタ表示部１４１５に画像データや各種情報等が表示されている状態でも周辺環境を観察することが可能である。
イ．「【００１９】
　
収納装置１５は、所定の領域（薬剤室）内に設けられた薬剤の収納を目的とする構造物である。収納装置１５は、複数の棚１５１を備える。棚１５１の各々には、薬剤を収納することが可能な引き出し等の収納部１５２が設けられる。
ウ．「【００２５】
また、
薬剤部サーバ１３のＣＰＵ２１には、
通信部２６及び記憶部２７等が接続される。」
エ．「【００２７】
通信部２６は、通信ネットワークＮに接続可能な通信インターフェースである。記憶部２７は、ＨＤＤ（Hard Disk Drive）やＳＳＤ（Solid State Drive）等の記憶装置である。記憶部２７は、各種プログラムや各種ファイルを記憶する。
【００２８】
また、
記憶部２７は、薬剤管理ファイルＦ１、
データファイルを記憶する。薬剤管理ファイルＦ１、
は、通信ネットワークＮを介して、ハンディターミナル１４から読み出し可能である。
【００２９】
薬剤管理ファイルＦ１は、収納装置１５に収納された各薬剤に関する情報と、その薬剤の収納位置に関する情報との関連付けが設定されたデータファイルである。
薬剤管理ファイルＦ１には、薬剤毎にユニークに割り当てられた薬剤コード、薬剤名及び量等の薬剤に関する薬剤情報と、その薬剤が収納された収納装置１５の収納部１５２を示す位置情報（第１情報、第２情報）と、が関連付けて登録される。
オ．「【００３３】
また、
ハンディターミナル１４のＣＰＵ３１には、入力部３４、接続インターフェース３５、通信部３６及び記憶部３７等が接続される。
【００３４】
入力部３４は、キーボードやポインティングデバイス等の入力デバイスである。入力部３４は、オペレータからの操作指示を受け付ける。なお、公知の視線入力技術等を用いることで、ヘッドマウントディスプレイ１４１を入力デバイスとして用いる形態としてもよい。
【００３５】
接続インターフェース３５は、ヘッドマウントディスプレイ１４１及びデジタルカメラ１４２との間でデータ送受信を可能にする。
通信部３６は、無線アクセスポイント１６と無線により通信可能な通信インターフェースである。
カ．「【００３９】
画像解析部３１２は、画像取込部３１１が取り込んだ画像を解析することで、デジタルカメラ１４２の撮像範囲に存在する各棚１５１の位置情報を取得する。
キ．「【００４４】
薬剤位置特定部３１４は、ピッキングの対象となる目的薬剤の薬剤コードに基づき、目的薬剤が収納されている棚１５１（或いは収納部１５２）の位置を特定する。
薬剤位置特定部３１４は、目的薬剤の薬剤コードが検索対象に設定されると、その薬剤コードを含むエントリーを薬剤管理ファイルＦ１から検索する。そして、薬剤位置特定部３１４は、該当するエントリーに含まれた位置情報を、目的薬剤が収納されている薬剤位置として特定する。
【００４５】
エリア判定部３１５は、薬剤位置特定部３１４で特定された目的薬剤の薬剤位置が、デジタルカメラ１４２の撮像範囲内に含まれるか否かを判定する。
【００４６】
ここで、含まれると判定した場合、エリア判定部３１５は、デジタルカメラ１４２の撮像範囲内、つまりピッキング作業者の視野内に目的薬剤が存在すると判定する。
【００４７】
表示制御部３１６は、ヘッドマウントディスプレイ１４１（モニタ表示部１４１５）への画像（静止画像又は動画像）出力を制御する。また、表示制御部３１６は、エリア判定部３１５と協働することで、端末位置特定部３１３が特定した自装置の端末位置から、目的薬剤が収納された収納位置に案内するためのガイド画像をヘッドマウントディスプレイ１４１に表示する。
【００４８】
具体的に、
表示制御部３１６は、エリア判定部３１５が撮像範囲内に目的薬剤が存在すると判定した場合に、該当する薬剤位置を指示する第１ガイド画像をヘッドマウントディスプレイ１４１に表示する。
【００４９】
図１０は、ヘッドマウントディスプレイ１４１に表示される第１ガイド画像の一例を示す図である。
表示制御部３１６は、撮像範囲内に目的薬剤が存在すると判定されると、薬剤位置特定部３１４が特定した薬剤位置に基づき、該当する収納部１５２を指示する第１ガイド画像Ｇ１を表示させる。ここで、表示制御部３１６は、画像取込部３１１が取り込んだ撮像画像に基づき、装着者の視界ＶＡ内において、目的薬剤が収納されている収納部１５２の位置に第１ガイド画像Ｇ１が重畳するよう表示位置を制御する。」
ク．「【００５４】
一方、
薬剤部サーバ１３のＣＰＵ２１は、プログラムを実行することにより、検索部４１１と、情報提供部４１２としての機能を備える
【００５５】
検索部４１１は、ハンディターミナル１４からの要求に応じて、薬剤管理ファイルＦ１、位置管理ファイルＦ２を検索する。例えば、
検索部４１１は、ハンディターミナル１４から薬剤コードを検索キーとして受け付けると、この検索キーに対応する薬剤情報及び位置情報を薬剤管理ファイルＦ１から検索する。
情報提供部４１２は、検索部４１１の検索結果をハンディターミナル１４に提供する。」
ケ．「【００５６】
次に、ハンディターミナル１４の動作について説明する。図１２は、ハンディターミナル１４が実行するピッキング支援処理の手順を示すフローチャートである。なお、
本処理の前提として、ハンディターミナル１４には目的薬剤の薬剤コードが入力されているものとする。
【００５７】
まず、ＣＰＵ３１は、
ピッキング作業者等からの指示に応じ、予め入力された目的薬剤の何れかを検索対象に設定する
【００５８】
薬剤位置特定部３１４は、検索対象に設定された目的薬剤の薬剤コードに基づき、対応するレコード（位置情報等）を薬剤管理ファイルＦ１から検索することで、目的薬剤の薬剤位置を特定する
コ．「【００６１】
以上のように、
本実施形態のハンディターミナル１４によれば、目的薬剤が収納されている薬剤位置へ案内するためのガイド画像を、ヘッドマウントディスプレイ１４１に表示する。
ピッキング作業者は、自らの視野内、つまり実空間上に重畳表示されるガイド画像に基づき目的薬剤を探すことができる
　前記ア〜コの記載によると、先願明細書等について、次の事項が記載されているといえる。
サ．前記アの【００１２】の記載によれば、ハンディターミナル１４は、薬剤のピッキング作業を支援するから、先願明細書等には、「薬剤のピッキング作業を支援するハンディターミナル１４」が記載されている。
シ．前記アの【００１３】の記載によれば、ハンディターミナル１４は、ヘッドマウントディスプレイ１４１を備えている。
ス．前記アの【０００９】の記載によれば、ハンディターミナル１４は、無線アクセスポイント１６を介して、無線により通信ネットワークＮに接続され、前記オの【００３３】、【００３５】の記載によれば、ハンディターミナル１４の通信部３６は、無線アクセスポイント１６と無線により通信可能な通信インターフェースであるから、先願明細書等には、「無線アクセスポイント１６と無線により通信可能であり、前記無線アクセスポイントを介して、無線により通信ネットワークＮに接続される通信部３６」が記載されている。
セ．前記ウの【００２５】、前記エの【００２７】−【００２９】の記載によれば、薬剤部サーバ１３には、通信ネットワークＮに接続可能な通信インターフェースである通信部２６と記憶部２７を持つこと、記憶部２７は、通信ネットワークＮを介して、ハンディターミナル１４から読み出し可能であり、薬剤毎にユニークに割り当てられた薬剤コード、薬剤名及び量等の薬剤に関する薬剤情報と、その薬剤が収納された収納装置１５の収納部１５２を示す位置情報と、が関連付けて登録される薬剤管理ファイルＦ１を記憶すること、が記載されている。
　また、前記クの【００５４】、【００５５】の記載によれば、薬剤部サーバ１３は、ハンディターミナル１４から薬剤コードを検索キーとして受け付けると、この検索キーに対応する薬剤情報及び位置情報を薬剤管理ファイルＦ１から検索し、検索結果をハンディターミナル１４に提供することが記載されている。
　さらに、前記キの【００４４】、前記ケの【００５６】−【００５８】の記載によれば、予め入力された目的薬剤の薬剤コードから検索対象に設定された目的薬剤の薬剤コードに基づき、対応する位置情報等を、薬剤管理ファイルＦ１から検索することで、目的薬剤が収納されている薬剤位置を特定する薬剤位置特定部３１４が記載されている。
　してみると、先願明細書等には、「予め入力された目的薬剤の薬剤コードから検索対象に設定された目的薬剤の薬剤コードを検索キーとして、通信ネットワークＮに接続可能である通信部２６を持つ薬剤部サーバ１３の記憶部２７に記憶され、通信ネットワークＮを介して、ハンディターミナル１４から読み出し可能であり、薬剤毎にユニークに割り当てられた薬剤コード、薬剤名及び量等の薬剤に関する薬剤情報と、その薬剤が収納された収納装置１５の収納部１５２を示す位置情報と、が関連付けて登録される薬剤管理ファイルＦ１から薬剤情報及び位置情報を検索し、検索結果である薬剤情報及び位置情報を前記薬剤部サーバ１３から提供されることで、目的薬剤が収納されている薬剤位置を特定する薬剤位置特定部３１４」が記載されている。
ソ．前記アの【００１４】−【００１６】の記載によれば、ヘッドマウントディスプレイ１４１は、ピッキング作業者ＯＰの頭部に装着可能であり、ヘッドマウントディスプレイ１４１をピッキング作業者ＯＰの頭部に装着した際に、表示制御部３１６の制御に従いモニタ表示部１４１５に各種情報等が表示されている状態でも周辺環境を観察することが可能であることが記載されている。
　また、前記イの【００１９】の記載によれば、収納装置１５に備えられた複数の棚１５１の各々には、薬剤を収納することが可能な引き出し等の収納部１５２が設けられることが記載されている。
　さらに、前記カの【００３９】、前記キの【００４５】、【００４６】の記載によれば、デジタルカメラ１４２の撮像範囲内とピッキング作業者の視野内とが同じ範囲内であり、撮像範囲内に各棚１５１が存在し、撮像範囲内に目的薬剤の薬剤位置が含まれるか否かが判定され、含まれる場合には、ピッキング作業者の視野内に目的薬剤が存在すると判定されることが記載されている。
　加えて、前記キの【００４７】−【００４９】、前記コの【００６１】の記載によれば、ピッキング作業者の視界ＶＡ内において、自らの視野内の実空間上に、目的薬剤の薬剤位置に基づき、該当する収納部１５２を指示する第１ガイド画像Ｇ１を重畳して表示することが可能なモニタ表示部１４１５と、そのように第1ガイド画像Ｇ１を表示させる表示制御部３１６とが記載されている。
　してみると、先願明細書等には、「ヘッドマウントディスプレイ１４１を頭部に装着したピッキング作業者ＯＰの視界ＶＡ内において、複数薬剤を収納する棚１５１を含む自らの視野内の実空間上に、目的薬剤の薬剤位置に基づき、前記目的薬剤が収納されている前記棚１５１に設けられた収納部１５２を指示する第１ガイド画像Ｇ１を重畳して表示することが可能であり、各種情報が表示されている状態でも周辺環境を観察することが可能なモニタ表示部１４１５と、
　前記薬剤位置に基づいて、前記ヘッドマウントディスプレイ１４１を頭部に装着したピッキング作業者ＯＰの視界ＶＡ内において、複数薬剤を収納する前記棚１５１を含む自らの視野内の実空間上に、前記目的薬剤の薬剤位置を指示する前記第１ガイド画像Ｇ１を重畳して前記モニタ表示部１４１５に表示させる表示制御部３１６」が記載されている。
　以上、サ〜ソによると、先願明細書等には、次の発明（以下、「先願発明」という。）が記載されている。
「薬剤のピッキング作業を支援する端末装置であるハンディターミナル１４であって、
　ヘッドマウントディスプレイ１４１と、
　無線アクセスポイント１６と無線により通信可能であり、前記無線アクセスポイントを介して、無線により通信ネットワークＮに接続される通信部３６と、
　予め入力された目的薬剤の薬剤コードから検索対象に設定された目的薬剤の薬剤コードを検索キーとして、通信ネットワークＮに接続可能である通信部２６を持つ薬剤部サーバ１３の記憶部２７に記憶され、前記通信ネットワークＮを介して、前記ハンディターミナル１４から読み出し可能であり、薬剤毎にユニークに割り当てられた薬剤コード、薬剤名及び量等の薬剤に関する薬剤情報と、その薬剤が収納された収納装置１５の収納部１５２を示す位置情報と、が関連付けて登録される薬剤管理ファイルＦ１から薬剤情報及び位置情報を検索し、検索結果である薬剤情報及び位置情報を前記薬剤部サーバ１３から提供されることで、目的薬剤が収納されている薬剤位置を特定する薬剤位置特定部３１４と、
　前記ヘッドマウントディスプレイ１４１を頭部に装着したピッキング作業者ＯＰの視界ＶＡ内において、複数薬剤を収納する棚１５１を含む自らの視野内の実空間上に、前記目的薬剤の薬剤位置に基づき、前記目的薬剤が収納されている前記棚１５１に設けられた収納部１５２を指示する第１ガイド画像Ｇ１を重畳して表示することが可能であり、各種情報が表示されている状態でも周辺環境を観察することが可能なモニタ表示部１４１５と、
　前記特定された薬剤位置に基づいて、前記ヘッドマウントディスプレイ１４１を頭部に装着したピッキング作業者ＯＰの視界ＶＡ内において、複数薬剤を収納する前記棚１５１を含む自らの視野内の実空間上に、目的薬剤の薬剤位置を指示する前記第１ガイド画像Ｇ１を重畳して前記モニタ表示部１４１５に表示させる表示制御部３１６と、
　を備えるハンディターミナル１４。」
第５　対比・判断
１．本願発明１について
（１）対比
　本願発明１と先願発明とを対比する。
ア．先願発明における「ハンディターミナル１４」は、薬剤のピッキング作業が処方箋に基づいて薬剤を収集する作業であり、当該作業を支援する端末装置であるから、本願発明１における「薬剤の収集を支援する薬剤収集支援端末」に相当する。
イ．先願発明における「薬剤部サーバ１３」は、薬剤情報及び位置情報をハンディターミナル１４に提供するから、本願発明１における「薬剤収集支援装置」に相当する。
ウ．先願発明における薬剤サーバ１３から提供される「薬剤情報及び位置情報」は、目的薬剤、すなわち収集対象となる薬剤の薬剤コードを検索キーとした同じ検索の結果として得られる情報であるから、本願発明１における「位置情報を含む薬剤情報」に相当する。また、先願発明における「位置情報」は、検索対象の目的薬剤が収納されている薬剤位置を特定するために使用される情報であるから、本願発明１における「１」「の薬剤に関する在庫場所情報」に相当する。してみると、先願発明における薬剤サーバ１３から提供される「薬剤情報及び位置情報」は、本願発明１における「収集対象となる」「１」「の薬剤に関する在庫場所情報を含む薬剤情報」に相当する。
エ．先願発明における「通信部３６」と「薬剤サーバ１３」とは、ともに通信ネットワークＮに接続され、薬剤情報及び位置情報は、ハンディターミナル１４から読み出し可能であり、ハンディターミナル１４に備えられた薬剤位置特定部３１４は、検索結果である薬剤情報及び位置情報を薬剤部サーバ１３から提供されることから、薬剤サーバ１３から薬剤情報及び位置情報を送信し、ハンディターミナル１４は、通信部３６において、当該送信された薬剤情報及び位置情報を受信していることは明らかである。してみると、先願発明における「通信部３６」は、本願発明１における「薬剤情報受信部」に相当し、先願発明には、本願発明１における「薬剤情報を薬剤情報収集支援装置から送信され、前記送信された前記薬剤情報を受信する」ことに相当する構成が存在する。
オ．先願発明における「ピッキング作業者ＯＰ」は、ハンディターミナル１４に備えられたヘッドマウントディスプレイを頭部に装着する者であるから、本願発明１における「装用者」に相当する。
カ．先願発明における「棚１５１」は、複数薬剤を収納する棚であるから、本願発明１における「複数薬剤の在庫場所」に相当する。
キ．先願発明おける「視界ＶＡ」は、ピッキング作業者ＯＰの視界であるから、本願発明１における「装用者」の「視認する」「景色」に相当する。
ク．先願発明における「前記目的薬剤の薬剤位置に基づき、前記目的薬剤が収納されている前記棚１５１に設けられた収納部１５２を指示する第１ガイド画像Ｇ１」は、収集対象である目的薬剤が収納されている収納部１５２を指示するために使用する情報であるから、薬剤に関する情報という点で、本願発明１における「薬剤毎の前記薬剤情報」と共通する。
ケ．先願発明における「モニタ表示部１４１５」は、ハンディターミナル１４に備えられ、各種情報を表示することが可能であるから、本願発明１における「表示部」に相当し、ピッキング作業者ＯＰの視野内の実空間上に、第1ガイド画像Ｇ１を重畳して表示することが可能であり、各種情報が表示されている状態でも周辺環境を観察することが可能であるから、先願発明には、本願発明１における「装用者が視認する」「景色を背景に」、「情報を重畳して表示することが可能」なことに相当する構成が存在する。
コ．先願発明における「表示制御部３１６」は、モニタ表示部１４１５の表示を制御するから、本願発明１における「制御部」に相当する。
サ．以上、上記ア〜コによると、本願発明１と先願発明とは次の一致点、相違点を有する。
＜一致点＞
　薬剤の収集を支援する薬剤収集支援端末であって、
　収集対象となる１の薬剤に関する在庫場所情報を含む薬剤情報を薬剤収集支援装置から送信され、前記送信された前記薬剤情報を受信する薬剤情報受信部と、
　装用者が視認する複数薬剤の在庫場所を含む景色を背景に、薬剤に関する情報を重畳して表示することが可能な表示部と、
　前記薬剤に関する情報を、前記装用者が視認する複数薬剤の在庫場所を含む景色を背景に重畳して前記表示部に表示させる制御部と、
　を備える薬剤収集支援端末。
＜相違点１＞
　「薬剤収集支援装置」において、本願発明１では、「１又は複数の薬剤」が「薬剤が記載された処方箋の入力を受け付けて当該処方箋に記載された」薬剤であり、「薬剤収集支援装置」が「薬剤情報を生成」し、「薬剤収集支援装置」から送信される「薬剤に関する在庫場所情報を含む薬剤情報」が、「１又は複数」の薬剤に関する情報であるのに対し、先願発明では、そのような「薬剤収集支援装置」に関する構成がない点。
＜相違点２＞
　「表示部」において、装用者が視認する複数薬剤の在庫場所を含む景色を背景に重畳して表示することが可能な薬剤に関する情報が、本願発明１では、「薬剤毎の前記薬剤情報」であるのに対し、先願発明では、「前記目的薬剤の薬剤位置に基づき、前記目的薬剤が収納されている前記棚１５１に設けられた収納部１５２を指示する第１ガイド画像Ｇ」である点。
＜相違点３＞
　「制御部」において、薬剤に関する情報を、前記装用者が視認する複数薬剤の在庫場所を含む景色を背景に重畳して前記表示部に表示させるための制御として、本願発明１では、「前記薬剤の前記薬剤情報が新たに受信されているか否かを確認し、新たに受信されている場合に、当該薬剤情報の受信を契機として、受信された前記薬剤情報を、」表示させる制御を行うのに対し、先願発明では、「予め入力された目的薬剤の薬剤コードから検索対象に設定された目的薬剤の薬剤コードを検索キーとして、」「薬剤部サーバ１３の記憶部２７に記憶」された「薬剤管理ファイルＦ１から薬剤情報及び位置情報を検索し、検索結果である薬剤情報及び位置情報を前記薬剤部サーバ１３から提供されることで、目的薬剤が収納されている薬剤位置を特定」し、「制御部」において、当該「特定された薬剤位置に基づいて」、「第1ガイド画像Ｇ１」を表示させる制御を行う点。
（２）相違点についての判断
　上記相違点について検討する。
　事案に鑑みて、相違点３を先に検討する。
　先願発明では、第1ガイド画像Ｇ１を表示させる際に、予め入力された目的薬剤の薬剤コードから検索対象に設定された目的薬剤の薬剤コードを検索キーとして、薬剤部サーバ１３の薬剤管理ファイルＦ１から薬剤情報及び位置情報を検索し、検索結果である薬剤情報及び位置情報を前記薬剤部サーバ１３から提供されることとしており、薬剤収集支援端末であるハンディターミナル１４から、薬剤収集支援装置である薬剤部サーバ１３に目的薬剤の薬剤コードを送信することが必要となっている。
　それに対し、本願補正後発明１では、薬剤情報を表示部に表示させる際に、「前記薬剤の前記薬剤情報が新たに受信されているか否かを確認し、新たに受信されている場合に、当該薬剤情報の受信を契機として」おり、薬剤収集支援端末から薬剤収集支援装置に何ら情報を送信することなく、薬剤情報を表示部に表示させることが可能なことから、薬剤収集支援端末は、薬剤収集支援装置と独立して動作させることが可能である。
　この点は、先願発明に対して新たな効果であるから、特許庁特許・実用新案審査基準第III部第３章３．２（ii)に記載された、本願の請求項に係る発明と引用発明とが同一か否かの判断の一つである、「本願の請求項に係る発明と引用発明との間に相違点がある場合であっても、両者が実質同一である場合」、すなわち、「本願の請求項に係る発明と引用発明との間の相違点が課題解決のための具体化手段における微差(周知技術、慣用技術の付加、削除、転換等であって、新たな効果を奏するものではないもの)である場合」には当たらない。
　なお、先願明細書等においては、検索結果である薬剤情報及び位置情報を前記薬剤部サーバ１３から提供される際に、提供されたか否かを確認すること、すなわち、ハンディターミナル１４において受信したか否かを確認することについて明記がないため、先願発明において、当該受信したか否かを確認することを行う可能性もあるが、このように受信したか否かを確認したとしても、それは、本願補正後発明１のような「
新たに
　したがって、その他の相違点について検討するまでもなく、本願発明１は、先願発明と同一であるとはいえない。
２．本願発明２−４について
　本願発明２−４は、本願発明１を減縮した発明であり、上記相違点１−３に係る構成を備えるものであるから、本願発明１と同様の理由により、先願発明と同一であるとはいえない。
３．本願発明５及び６について
　本願発明５及び６において、少なくとも「処方箋に記載された１又は複数の薬剤に関する在庫場所情報を含む薬剤情報を、前記処方箋に記載された１又は複数の薬剤の提供業務における作業毎に生成する薬剤情報生成部」について、先願明細書等に記載も示唆もされておらず、先願明細書に記載された発明と相違しているから、本願発明５及び６は、先願明細書等に記載された発明と同一であるとはいえない。
４．本願発明７及び９について
　本願発明７及び９は、それぞれ本願発明１に対応する方法及びプログラムの発明であり、本願発明１の薬剤情報を表示部に表示させる際に、「前記薬剤の前記薬剤情報が新たに受信されているか否かを確認し、新たに受信されている場合に、当該薬剤情報の受信を契機と」する構成を備えるものであるから、本願発明１と同様の理由により、先願発明と同一であるとはいえない。
５．本願発明８及び１０について
　本願発明８及び１０は、それぞれ本願発明５に対応する方法及びプログラムの発明であり、本件補正発明５の「処方箋に記載された１又は複数の薬剤に関する在庫場所情報を含む薬剤情報を、前記処方箋に記載された１又は複数の薬剤の提供業務における作業毎に生成する薬剤情報生成部」に対応する構成を備えるものであるから、本願発明５と同様の理由により、先願明細書等に記載された発明と同一であるとはいえない。
第６　原査定について
１．理由３（特許法第２９条の２）について
　本件補正により、本願発明１、４、７、９は、第５の１（２）で検討した相違点３に係る「当該薬剤情報の受信を契機として」という事項を有するものとなっており、本願発明１、４、７、９は、拒絶査定において引用された先願明細書等に記載された発明と同一であるとはいえない。したがって、原査定の理由３を維持することはできない。
第７　むすび
　以上のとおり、原査定の理由によっては、本願を拒絶することはできない。
　また、他に本願を拒絶すべき理由を発見しない。
　よって、結論のとおり審決する。